(57)【要約】【課題】  人が鳥の様に空を自由かつ安全に飛び回ることが出来ないかその為の激しく上下に動く羽根を何らかの形で人体と一体化出来ないかを研究模索した。【解決手段】  一番一体化しやすいのはショルダー式のケースを背中に背負う形が適している、そのケースに人工羽根を取り付け、その羽根を上下に動かす為の心棒をケース内に取り込みその心棒が鳥が飛び立つ時の様に秒間で複数回の上下運動を誘発する手段としてケースに内包可能な軽量で小型しかも強力なコンプレッサーと、強い縮性を持たせたコイルスプリング式のゴム筒を下部に、又、より強いコイルスプリングを上部に組み合わせる事で人が空に飛び立つに足る上昇空圧を生み出す人工羽根を作る事が出来た、さらに筒最上部に瞬間的に開傘して落下しなくても開き続け、簡単に収納出来るゴム筒方式からなる落下傘を取り付ける事で飛行バランスや安定した浮遊性が向上し、何より安全性が確保された構成物を提供出来る【選択図】図１
2013172937.tif 000002
【特許請求の範囲】
【請求項１】
筒型ショルダー内部に伸縮ゴム筒を内蔵し、瞬時に開いて簡単に収納する事を可能にした簡易式落下傘。
【請求項２】
低層部からの落下でも落下衝撃が緩和され高層階からの落下では方向性、落下速度を自由に調整が出来る落下傘。
【発明の詳細な説明】
【技術分野】
【０００１】  本発明は、火災時の緊急時に高層建物から人が地上に飛び降りる際、本傘を開いて落下する時、パラシュート効果にて無事着地が出来る様考案され、低層階からの飛び降りにも対応出来る様、ホッピングの様な太いコイルスプリングをショルダーケース下に取り付ける事で対応し、又、超高層建物からすぐ遠ざかる様に方向スピード、落下速度も調整出来る直ぐに開いて簡単に収納出来る様に考案された肩掛式筒形簡易落下傘に関する。
【技術背景】
【０００２】  従来のパラシュートの場合、地上１０００ｍ超からの降下用として構成されている為、開ききるのに時間が掛かり、地上２０ｍ〜３０ｍ程度からの降下には役に立たないし、装着や収納にも手間が掛かり、キャノピーも拡がりすぎて火に包まれ意味が無い。又、雨傘や日傘等では半球形の形状が逆になり傘の骨も壊れてしまい同様である。そこで、肩掛けケース内部に蛇腹スプリング式の伸縮ゴム筒を利用して、簡単に開閉が出来、しかもパラシュートの様に確実に半球形を構成出来る人体落下用傘が出来ないか、又、建物３〜４Ｆからの落下でも着地の衝撃緩和が出来ないか研究を続けた。
【特許文献１】  特開２００９−２０１１２７
【発明が解決しようとする課題】
【０００３】  成人の平均体重は６０ｋｇ〜７０ｋｇとして、僅かな降下時間で空気抵抗を利用し落下速度を激減させる為には、降下前、空気注入が完了した段階で、重量物の中心を基点とした適正な半球形を構成しなくてはならない。そこで、正絹やナイロンで作るキャノピーを防水地にてパラシュート程直径が無くても、やはり２ｍ３位は必要なので、生地を３ｍ程の円形に裁断して試してみたが、うまく開かないし生地も垂れ下がってしまう。そこで、空気が注入出来る薄型ゴム地に空気を入れたら、ゴムの性質上浅い球形を構成してしまい、又、筒ケースのロープで繋がれている為、三角帽子の様な形状になってしまった。
【課題を解決する為の手段】
【０００４】  そこで、ゴム生地を１枚地基材として米字型に空気道をつけてそこだけ空気注入出来るように加工した。又、外周部はロープで結ぶ為厚地にロープ穴を設けた。又、三角帽子型を防ぐ為、通常傘で言う所の骨としてケース内部一段目ゴム筒上部に８本のＲ型にカーブする程度の半硬質チューブ管を取り付けゴム地に結びつけた。その結果、空気注入時に適正な半球形を構成する事が出来た。又、低層階からの落下に対応する為ショルダー下に緩衝スプリングを取り付け、又、超高層建物からすぐ遠ざかる様に方向スピード、落下速度も修正出来る様、落下空圧バランスが工夫出来る様ロープに工夫を施した。
【発明の効果】
【０００５】  本発明の構造上、コンプレッサーがあれば瞬時に傘が開くし、又、市販の空気入れでも１分〜２分で開く様、キャノピーにあたる円形ゴムは少量の空気注入でも良い米字型空気道にした為、非常時に際しすぐに準備が出来、又、３Ｆ〜４Ｆ程度の低層階からの落下も可能にし、ビル・マンション火災に際し、人命救助に大きく寄与出来る。
【発明を実施する為の最良の形態】
【０００６】  ベランダ側真下が駐車場になっているマンションの６Ｆ（地上高１６ｍ位）から、まず小さい傘（直径１ｍ位）の市販の傘の骨部先端にひもをくくり付け、５ｋｇ程度の錘を付け傘の柄に結んで傘地の向きが逆さにならないようにして開いた状態にして落としてみたら、着地時のスピードはそれでも半減以上の効果があった。直系１．５メートル位の大きい傘で同様に試した所、更に着地時のスピードが減じられていた。市販傘の場合、あくまでも雨・太陽光対応用である為、重量が２０ｋｇ〜３０ｋｇになると空圧にて骨が壊れ生地の結び目も解けて傘が壊れるので軽量の実験となった。そこで本発明品にての人体実験となったが当然安全確保の為、真下周辺に厚さにして１ｍ弱程度のウレタン、スポンジマットレスを敷き詰め実験をした所、想定通り意図する結果を得る事が出来た。只、低層階からの飛び降りでは、着地時の足の着き具合によっては打撲や捻挫の可能性も否めない。又、あまり径を広げすぎると屋上からの飛び降りなら問題点も少ないが、ベランダや開き窓からの飛び降りでは開傘準備が厄介な面も残るので開傘径を２ｍ程度に設定した。
【産業上の利用分野】
【０００７】  そこで低層階での実験を３Ｆに設定して行う為、スプリングを付け実験してみた、衝撃具合、緩衝度をより正確に感知する為、地面のマットレスを５０ｃｍ程度にして実験した、足への衝撃は緩和されたが肩への衝撃が強い感じを受けた為、ショルダーベルトに低反発ウレタンを補強する事で解消出来た。
【０００８】高層階からの実験も行った、超高層階最上部での飛び降りの際どうしても風の影響を受けやすい、落下して火災中の建物に戻ってしまう様な事があっては命取りになる、そこで風の影響も受けず確実に方向性をもって落下飛行が出来る原理を発見したので４０ｍからの落下にて実験した、危険を伴うので人ではなく錘はコンクリートブロックを使用し、又、落下ケースに下からロープを取り付けた。これは落下の際の空圧バランスを利用しただけなのだが実験の結果に驚いた、落下傘を２等分とし片方にわずかな傾斜を持たせる事で空圧バランスの関係で人体前面部にわずかな傾斜でも前方へ落下しながら進む事がわかった、従って５００ｍ、１０００ｍの上空からの落下でも自由に方向性が操作出来る。今回の実験はキャノピーとショルダーケースを繋ぐロープを前方部３本を短くして調整し、傾斜角５℃・１０度にて実験した、結果一定の角度であれば傾斜が大きい程前方進行速度も落下速度も速まる事が証明出来た。
【０００９】  したがって、各ロープをショルダー上部にて巻き取り装置などを付けリモコン操作出来る様にすれば落下地点を勝手に選べる為、高所からの緊急避難用としてだけでなく低コストで対応出来るスポーツレジャー用品としての対応が出来る飛行用具としても可能性があると思う落下傘である。
【産業上の利用分野】
【００１０】  本発明品の構造特性により、段化式の硬質チューブなどを気球やパラグライダーへの直接の気体の注入が可能となり、補助ケースを取り付け、充電及び強力電池等でのファンモーター取り付けにより、ヘリウムガス、水素の注入・排出が出来る様になり、空中遊泳中の上昇・下降が可能となり、誰でもが簡単に遊泳を楽しむ事が出来るし、使用時の準備、終了時の収納が実に簡単に出来るので、老若を問わず参加出来る。
【図面の簡単な説明】
【００１１】
【図１】  ショルダーケースの断面図
【図２】  ゴム地キャノピーの上部図
【図３】  ショルダーケースにスプリングをつけた概略図
【符号の説明】
【００１２】１  ショルダーケース  ２  段化式蛇腹伸縮ゴム筒  ３  スプリング  ４  硬質合成樹脂蓋  ５  １段目硬質チューブ管  ６  ２段目硬質チューブ管  ７  ゴムパッキン  ８  半硬質チューブ管  ９  ゴムキャノピー  １０  空気道  １１  ゴムキャノピー空気注入口  １２  ゴムキャノピーロープ結束穴  １３  ケース部空気注入口  １４  ケース部空気排出口  １５  結束ロープ  １６  ケースロープ結束穴  １７  ケース下パイプ取り付け具  １８  外パイプ管  １９  内パイプ管  ２０  コイルスプリング  ２１  球形ゴム材
【図１】
2013172937.tif 000003
【図２】
2013172937.tif 000004
【図３】
2013172937.tif 000005